(57)【特許請求の範囲】
【請求項１】
開口と、該開口を閉塞する口栓とを有する容器を収容するための外箱の内側に位置づけられる前記容器の固定部材であって、
相互に平行な一対の第１縁辺と、前記第１縁辺と直交する相互に平行な一対の第２縁辺と、を有する第１面部と、
前記一対の第１縁辺に連続して直角に折れ曲げられた一対の第２面部であって、それぞれ前記第１縁辺と平行な第３縁辺を有する一対の第２面部と、
該一対の第２面部のそれぞれの前記第３縁辺に連続して外方に直角に折れ曲げられた一対の第３面部と、
前記一対の第２縁辺に連結され、前記第１面部に接するように折り曲げられた一対の第４面部であって、それぞれ前記第２縁辺と平行な第４縁辺を有する一対の第４面部と、
該一対の第４面部のそれぞれの前記第４縁辺に連結された第５面部と、
を備え、
前記第１面部は、前記一対の第４面部のそれぞれの前記第４縁辺に対応する位置に設けられた一対の第１スリットを有し、
前記一対の第５面部は、それぞれ前記第４縁辺から直角に折り曲げられて前記第１スリットに挿入された挿入部を有し、
前記第１面部と、前記一対の第２面部と、前記一対の第５面部がそれぞれ有する前記挿入部とによって画成される空間によって、前記容器の口栓が受容され、
前記第１面部と前記第３面部とをつなぐ前記第２面部の縁辺、前記第３縁辺を除く前記第３面部の縁辺、前記第４縁辺を除く前記第４面部の縁辺、および、前記第４縁辺と直角をなす前記第５面部の縁辺が、前記外箱の内壁または該内壁に接して配置される胴枠に当接する、
ことを特徴とする固定部材。
【請求項２】
前記第５面部は、前記挿入部を形成する第２スリットを有し、前記第１スリットは前記第２面部上にも連続して延在した延在部を有し、前記第１スリットの延在部と前記第２スリットとが嵌り合っていることを特徴とする請求項１に記載の固定部材。
【請求項３】
前記第１面部と前記第４面部とは、双方に対して直角に折り曲げられた連結部によって連結されていることを特徴とする請求項１または２に記載の固定部材。
【請求項４】
前記容器は、可撓性材料で形成され、頂面に口栓が配された略直方体形状の流動体収納容器であり、前記空間を画成している前記一対の第２面部の部分および前記挿入部が、前記口栓に外接することを特徴とする請求項１ないし３のいずれか一項に記載の固定部材。
【請求項５】
前記空間を画成している前記第１面部の部分に形成された開口を有することを特徴とする請求項１ないし４のいずれか一項に記載の固定部材。
【請求項６】
前記外箱の内壁に当接する部分の一部に、切り欠きを有することを特徴とする請求項１に記載の固定部材。
【請求項７】
請求項１ないし請求項６のいずれか一項に記載の固定部材を形成するためのブランクシートであって、
前記第１面部、前記一対の第２面部および前記一対の第３面部を形成するための、二対の対向辺を有する矩形の第１シート部であって、
一方の一対の前記対向辺と平行に延在し、それぞれ前記第１縁辺となる一対の第１折り曲げ線と、
前記一対の第１折り曲げ線よりも前記一方の一対の前記対向辺寄りに且つこれと平行に延在する、前記第３縁辺となる一対の第２折り曲げ線と、
他方の一対の前記対向辺と平行に、少なくとも前記第１面部となるに形成された一対のスリットと、
を有する第１シート部、および、
前記第４面部および前記挿入部を有する前記第５面部を形成するための、前記他方の一対の対向辺上、前記第１シート部の前記一対の第１折り曲げ線間の部位において、連結部を介して前記第１シート部に連結された一対の第２シート部であって、そのそれぞれが、
前記連結部に沿った折り返し線と、
前記折り返し線と平行に延在し、前記第４縁辺となる第４折り曲げ線と、
を有する一対の第２シート部と、
を備えたことを特徴とするブランクシート。
【発明の詳細な説明】
【技術分野】
【０００１】
本発明は、容器の固定部材およびブランクシートに関し、詳しくは、液体または液体と同様に流動性のある物品、ゾル、ゲル、粉体等（以下これらを総称して流動体という）の収納容器を収容し、運送時に落下や振動などによる衝撃により注出口からの液漏れを起こすことがないようにしたバックインボックスの改良に関する。
【背景技術】
【０００２】
従来、樹脂フィルム等の柔軟性を有した容器と、容器を収容する段ボール等からなる外箱と、を用いたバッグインボックスが知られている。これは、ドラム缶やスチール缶などよりも軽量であり、廃棄処理や運搬がしやすく、現在では、醤油や酒などの食品類や洗剤、現像液等などの業務用流動性物品容器として幅広く普及してきている。
【０００３】
バッグインボックスを運搬等に際して積み重ねたときに、内容物の内圧により容器の側壁に直接作用し、容器側面に「胴ぶくれ」が発生することがある。特許文献１には、このような状況を解決する目的で、箱内に側壁を設け、外箱にも胴ぶくれが生じたり、座屈が生じたりしないようにする構成が開示されている。
【先行技術文献】
【特許文献】
【０００４】
【特許文献１】特開平７−３１５４３６号公報
【発明の概要】
【発明が解決しようとする課題】
【０００５】
しかし、バッグインボックスに発生する障害は胴ぶくれに限らず、落下や振動などによる何らかの衝撃が加わり、その衝撃により容器と注出口との繋ぎ目から液が漏れることがある。特に、流動体を収納している可撓性の容器では、衝撃等により容器本体と注出口との相対的な位置ずれが生じやすく、その結果、繋ぎ目に隙間や亀裂が生じることが懸念される。しかし特許文献１には、これを有効に防止するための構成については何ら開示されていない。
【０００６】
したがって、本発明は、バッグインボックスの落下や振動その他の何らかの原因で容器の注出口に衝撃が加わっても、容器と注出口の繋ぎ目からの液漏れが防止される構成の提供を目的とする。
【課題を解決するための手段】
【０００７】
本発明は、開口と、該開口を閉塞する口栓とを有する容器を収容するための外箱の内側に位置づけられる前記容器の固定部材であり、相互に平行な一対の第１縁辺と、前記第１縁辺と直交する相互に平行な一対の第２縁辺と、を有する第１面部と、前記一対の第１縁辺に連続して直角に折れ曲げられた一対の第２面部であって、それぞれ前記第１縁辺と平行な第３縁辺を有する一対の第２面部と、該一対の第２面部のそれぞれの前記第３縁辺に連続して外方に直角に折れ曲げられた一対の第３面部と、前記一対の第２縁辺に連結され、前記第１面部に接するように折り曲げられた一対の第４面部であって、それぞれ前記第２縁辺と平行な第４縁辺を有する一対の第４面部と、該一対の第４面部のそれぞれの前記第４縁辺に連結された第５面部と、を備え、前記第１面部は、前記一対の第４面部のそれぞれの前記第４縁辺に対応する位置に設けられた一対の第１スリットを有し、前記一対の第５面部は、それぞれ前記第４縁辺から直角に折り曲げられて前記第１スリットに挿入された挿入部を有し、前記第１面部と、前記一対の第２面部と、前記一対の第５面部がそれぞれ有する前記挿入部と、によって画成される空間により、前記容器の口栓が受容される、ことを特徴とする固定部材を提供する。
【発明の効果】
【０００８】
本発明によれば、容器に設けられた注出口を閉塞する口栓を上記固定部材により固定することで、落下や振動などによる衝撃に起因した液漏れを効果的に防止して、輸送時等の安全性を確保し、且つ収納している内容物の品質劣化を抑制することができる。また、本発明によれば、上記固定部材を一枚のブランクシートから構成でき、しかも組み立てが容易なものとなる。
【図面の簡単な説明】
【０００９】
【図１】本発明の一実施形態に係るバッグインボックスの斜視図である。
【図２】（ａ）、（ｂ）および（ｃ）は、本発明の一実施形態に係る固定部材を上面側から見た斜視図、底面側から見た斜視図および展開図である。
【図３】（ａ）、（ｂ）、（ｃ）および（ｄ）は、本発明の一実施形態に係る固定部材の上面図、IIIｂ方向側面図、IIIｃ方向側面図および底面図である。
【図４】（ａ）および（ｂ）は、本発明の一実施形態による固定部材のブランクシートの表面の平面図および裏面の平面図である。
【図５】（ａ）〜（ｃ）は、本発明の一実施形態に係る固定部材の組立工程の説明図である。
【図６】本発明の一実施形態を適用したバッグインボックスの分解斜視図である。
【図７】本発明の一実施形態に係るバッグインボックスの断面図である。
【図８】本発明の他の実施形態に係る固定部材の斜視図である。
【発明を実施するための形態】
【００１０】
以下、図面を参照して本発明を詳細に説明する。
【００１１】
図１は、本発明の一実施形態に係るバッグインボックスの斜視図であり、外箱５４の中に、容器５２と胴枠５３と固定部材５１が収納されている。また、容器５２に設けられた注出口５７を閉塞する口栓５６を固定部材５１で固定しており、この固定部材５１の構造は、図２（ａ）〜（ｃ）および図３（ａ）〜（ｄ）に示されている。また、本実施形態では、固定部材５１を組み立てるためのブランクシートとして、シングルフルートの両面段ボール原紙から得られるものを用いている。そのブランクシートの構成および固定部材５１として組み立てる態様については、図４（ａ）、（ｂ）および図５（ａ）〜（ｃ）に示されている。
【００１２】
（固定部材）
図２（ａ）、（ｂ）および（ｃ）は、それぞれ、本発明の一実施形態に係る固定部材５１を上面側から見た斜視図、底面側から見た斜視図および展開図である。また、図３（ａ）、（ｂ）、（ｃ）および（ｄ）は、それぞれ、本発明の一実施形態に係る固定部材５１の上面図、IIIｂ方向側面図、IIIｃ方向側面図および底面図である。
【００１３】
これらの図に示すように、本実施形態に係る固定部材５１は、相互に平行な一対の第１縁辺Ｌ１と、第１縁辺Ｌ１と直交する相互に平行な一対の第２縁辺Ｌ２と、を有する第１面部１１を備える。そして、一対の第１縁辺Ｌ１に連続して直角に折り曲げられ、それぞれ第１縁辺と平行な第３縁辺を有する一対の第２面部１２を備える。さらに、一対の第３面部１３が、一対の第２面部１２のそれぞれの第３縁辺Ｌ３に連続して外方に直角に折り曲げられて形成されている。
【００１４】
第１面部１１の各第２縁辺Ｌ２には第４面部１４が連結されており、第１面部１１に接するように折り返されている。それぞれの第４面部１４は第２縁辺Ｌ２と平行な第４縁辺Ｌ４を有し、第４縁辺Ｌ４には第５面部１５が接続されている。
【００１５】
第１面部１１は、折り返しによって重なる一対の第４面部１４の第４縁辺Ｌ４に対応する位置に、一対の第１スリット１６を有している。さらに、一対の第５面部１５は、それぞれ第４縁辺Ｌ４から直角に折り曲げられて、第１スリット１６に挿入される挿入部２０を有している。そして、第１面部１１と、一対の第２面部１２と、一対の第５面部がそれぞれ有する挿入部２０とによって画成される空間５５に、容器５２の口栓５６が受容される。
【００１６】
（ブランクシート）
本実施形態の固定部材５１は、次に述べる１枚のブランクシートを適宜折り曲げることによって形成することが可能である。すなわち接着剤等による接着を使用しないため、再利用が可能であり、容易に展開ができ、また固定部材単体での保管も可能である。但し、接着剤の使用を排除するものではない。
【００１７】
図４（ａ）および（ｂ）は、本発明の一実施形態による固定部材のブランクシートの表裏２面を示している。本実施形態のブランクシートは、二対の対向辺、すなわち対向する一対の第１辺２０１および第１辺２０１と直角をなして対向する一対の第２辺２０２とを有する略矩形の第１シート部１と、連結部３を介して第１シート部１に連結された一対の第２シート部２とからなる。
【００１８】
矩形の第１シート部１は、一対の第１辺２０１のそれぞれに対して平行に設けられた一対の第１折り曲げ線Ｌ１０１と、第１折り曲げ線Ｌ１０１よりも第１辺２０１寄りに且つこれと平行に延在する一対の第２折り曲げ線Ｌ１０２と、一対の第２辺２０２と平行に形成された一対のスリット（第１スリット）４を備える。また、第２シート部２は、それぞれが連結部３に沿った折り返し線Ｌ１０５と、折り返し線Ｌ１０５と平行に延在し、第４折り曲げ線Ｌ１０４と、を備える。本実施形態では、第５面部１５となる部分に挿入部２０となる部分が形成されている。その挿入部２０は、第１面部１１上に現れるスリット部分１６の長さに対応して離隔した一対のスリット１７によって形成されており、これらのスリット１７は第２面部に現れるスリット延在部分２１と嵌り合うものとなっている。
【００１９】
なお、本実施形態では、図４（ｂ）に示すように、第１折り曲げ線Ｌ１０１および第２折り曲げ線Ｌ１０２には、折り曲げ操作を容易に行うことのできるように切れ目Ｃ１が設けられているが、これは必須の構成ではない。また、第１シート部１および第２シート部２が直接連結されていてもよいが、連結部３を設けることで、第２シート部２の折り返しが容易に行えるようになる。その連結部の幅すなわち第１および第２シート部間の距離をブランクシートの厚み程度のものとすれば、第１面部１１に対する第４面部１４の面接触性が良いものとなる。
【００２０】
図４（ａ）を用いて各領域の寸法について述べると、まず第１シート部１の第１辺２０１の幅ａは胴枠の内径の一辺と長さが同じである。第２辺２０２の幅は、第４面部および第５面部となる幅ｂと第２面部となる幅ｄとを加えた幅と等しい（すなわちｂ＋２ｄ）としている。さらに、連結部となる幅ｃ´は、第１面部１１の幅ｃすなわち一対の第１折り曲げ線Ｌ１０１間の長さｃ以下（すなわちｃ´≦ｃ）であればよい。
【００２１】
（固定部材の組み立て）
図５の（ａ）〜（ｃ）を用いて、図２（ｃ）および図４（ａ）に示したブランクシートから図２（ａ）、（ｂ）および図３（ａ）〜（ｄ）に示した固定部材を組み立てる手順を説明する。なお、これらの図において、各領域に、固定部材の各部となる各部の符号に下線を引き示している。また、以下の説明において、「山折り」とは図２において紙面の上面側が凸となる折り曲げを意味し、「谷折り」とは紙面の上面側が凹となる折り曲げを意味する。
【００２２】
まず、図２（ｃ）および図４（ａ）に示した状態から、第１面部１１に対応する一対の第１縁辺Ｌ１（第１折り曲げ線Ｌ１０１）を山折り、第２面部１２と第３面部１３との接続部分に対応する一対の第３縁辺Ｌ３（第２折り曲げ線Ｌ１０２）の谷折りを同時に行うことで図５（ａ）に示した状態を得る。
【００２３】
次に、第４面部１４と第５面部１５との接続部分に対応する第４縁辺Ｌ４（第４折り曲げ線Ｌ１０４）の谷折りを行うことで図５（ｂ）の状態を得る。
【００２４】
次に、連結部３の両側に対応する第２縁辺Ｌ２（折り返し線Ｌ１０５）を谷折りに折り返し、挿入部２０を第１スリットの部分１６に挿入し、第１スリットの延在部分２１と第２スリット１７とが嵌り合うことで図５（ｃ）の状態が得られ、図２（ａ）に示した固定部材５１が形成される。
【００２５】
（固定部材の収容）
図６は、本発明の一実施形態を適用したバッグインボックスの分解斜視図である。この図に示すように、外箱５４に、胴枠５３、容器５２および固定部材５１を順次収容することで、図１で示したように、固定部材５１は胴枠５３に当接されるように収容される。容器５２の本体はバッグインボックス内で位置ずれなく保持される。また、図７で示すように、一対の第２面部１２と一対の挿入部２０からなる空間５５を画成している部分は、口栓５６と外接することで、口栓５６の位置も固定される。この結果、容器本体と口栓との相対的な位置ずれが生じることなく、且つ口栓５６にかかる衝撃が緩和される。
【００２６】
（固定部材の他の実施形態）
図８は、本発明の他の実施形態に係る固定部材の斜視図である。この実施形態では、第３面部１３と第４面部１４が、胴枠５３と当接する縁辺に切り欠き部６１を有している。そうすることで、固定部材５１を外箱５４に収容する際または外箱５４から取り外す際に、作業者が指を掛ける空隙を確保することができ、収容または取り外しの動作が行い易くなる。切り欠き部６１の数、配設箇所および寸法は適宜定めることができる。また、固定部材５１の剛性を調整する目的で切り欠き部６１が形成されていてもよい。
【００２７】
さらに、必ずしも切り欠き部６１と同時の配設を必須とするものではないが、第１面部１１に開口部６０を設けることができる。これにより、口栓５６が空間５５に収まっているかを確認することが可能となる。
【符号の説明】
【００２８】
１    第１シート部
２    第２シート部
３    連結部
４、１６、１７    スリット
１１、１２、１３、１４  面部
２０  挿入部
２１  延在部
５１  固定部材
５６  口栓
２０１、２０２  対向辺
Ｌ１、Ｌ２、Ｌ３、Ｌ４  縁辺
Ｃ１  切れ目
Ｌ１０１、Ｌ１０２、Ｌ１０３、Ｌ１０４  折り曲げ線
Ｌ１０５  折り返し線
【図１】
0006682960.tif 000002
【図２】
0006682960.tif 000003
【図３】
0006682960.tif 000004
【図４】
0006682960.tif 000005
【図５】
0006682960.tif 000006
【図６】
0006682960.tif 000007
【図７】
0006682960.tif 000008
【図８】
0006682960.tif 000009